(57)【特許請求の範囲】
【請求項１】
右眼用画像の画像光と左眼用画像の画像光とが外部装置から時分割に入射され、入射される前記右眼用画像の画像光、及び前記左眼用画像の画像光を、第１の波長帯域を有し、偏光方向が第１偏光である第１出射光と、第２の波長帯域を有し、偏光方向が前記第１偏光と異なる第２偏光である第２出射光と、に分離可能に所定の波長域の光の偏光方向を変換して出射する波長板と、
前記波長板を透過して入射される前記第１出射光、及び前記第２出射光を、前記右眼用画像の画像光、及び前記左眼用画像の画像光のいずれか一方の場合、前記第１出射光、及び前記第２出射光の偏光方向を変えないでそれぞれ出射し、前記右眼用画像の画像光、及び前記左眼用画像の画像光のいずれか他方の場合、前記第１出射光の偏光方向を前記第２偏光へ変更して、前記第２出射光の偏光方向を前記第１偏光へ変更して、それぞれ出射する偏光制御素子と、
前記第１偏光と第２偏光とのうち一方の偏光方向に吸収軸を有し、他方の偏光方向の光を透過して出射する偏光板と、
を備えることを特徴とする波長分離装置。
【請求項２】
請求項１に記載の波長分離装置と、
前記右眼用画像の画像光と、前記左眼用画像の画像光と、を前記波長分離装置に出射する前記外部装置としての画像表示装置と、
を備えることを特徴とする画像表示システム。
【請求項３】
前記画像表示装置は、走査線を一括駆動する面順次駆動方式により所定周期で駆動する液晶パネルを有し、
前記波長分離装置は、前記偏光制御素子の画素領域における光の偏光方向の切替を、前記所定周期の始まりの時刻に同期させて行なう制御部を有する
ことを特徴とする請求項２に記載の画像表示システム。
【請求項４】
前記偏光制御素子は、複数の画素領域を有し、
前記画像表示装置は、走査線を順次駆動する線順次駆動方式により所定周期で駆動する液晶パネルを有し、
前記波長分離装置は、前記順次駆動に対応して、前記偏光制御素子の前記複数の画素領域ごとに前記偏光方向を変えない状態と前記偏光方向を変える状態との切り換える駆動を行なう制御部を有する
ことを特徴とする請求項２に記載の画像表示システム。
【請求項５】
右眼側、及び左眼側のいずれか一方が前記第１の波長帯域の光を透過させる透過特性を有し、右眼側、及び左眼側のいずれか他方が前記第２の波長帯域の光を透過させる透過特性を有するメガネ
をさらに備えることを特徴とする請求項２〜請求項４のいずれか一項に記載の画像表示システム。
【発明の詳細な説明】
【技術分野】
【０００１】
本発明は、３次元の画像表示を行う波長分離装置、及び画像表示システムに関する。
【背景技術】
【０００２】
従来から、表示画像を立体的に表現する画像表示システムが知られている。この画像表示システムによれば、鑑賞者が右眼と左眼の視差点だけずれた２つの画像（右眼用画像と左眼用画像）、所謂視差画像を左右其々の眼で選択的に見る。これにより、鑑賞者は、表示画像を立体的に視認できる。
【０００３】
この画像表示システムに用いる１つの方式として、例えば特許文献１に記載の波長分離方式が知られている。波長分離方式は、波長が互いに異なる２つの視差画像を投射し、投射した右眼用画像、及び左眼用画像を波長の違いにより、それぞれ左眼、及び右眼に振り分ける方式である。
【先行技術文献】
【特許文献】
【０００４】
【特許文献１】特開２００９−１２２６５９号公報
【発明の概要】
【発明が解決しようとする課題】
【０００５】
しかしながら、特許文献１記載の画像表示システム（以下、画像表示システム９０とする）では、以下に図７、及び図８を用いて説明する問題点があった。
図７は、画像表示システム９０の構成を示すブロック図である。また、図８は、画像表示システム９０の動作を説明するための図である。
画像表示システム９０は、図７に示すように、プロジェクターＰＪ、制御部９１、回転ホイール９２（フィルタ）、スクリーンＳＲ、及び鑑賞用メガネ３０を含んで構成される。
プロジェクターＰＪから出射される出射光Ｌ１は、回転ホイール９２を透過し、スクリーンＳＲに出射光Ｌ２が投射され、画像が拡大されて表示される。
【０００６】
プロジェクターＰＪは、外部装置から画像データ（右眼用画像データまたは左眼用画像データ）が入力され、これらの画像データを、図８（ａ）に示す右眼用画像、及び左眼用画像の出射光Ｌ１に変換して、回転ホイール９２に対して時分割に交互に出射する。
回転ホイール９２は、図８（ｂ）に示す様に、円板部９２ａと、円板部を回転可能に支持する回転支持機構（図８（ｂ）において不図示）を含んで構成される。円板部９２ａは、扇状のカラーフィルターが設けられた領域Ａ１、及び扇状のカラーフィルターが設けられた領域Ａ２により構成される。これらの領域Ａ１、及び領域Ａ２は、それぞれ入射光のうちの所定の波長帯域の色光（青色光ＬＢ、緑色光ＬＧ、赤色光ＬＲ）を選択的に透過させる。図８（ｃ）は、領域Ａ１、及び領域Ａ２の透過率特性を示す図である。図８（ｃ）において、上段の透過率特性は、領域Ａ１の光の波長に対する透過率を示し、下段の透過率特性は、領域Ａ２の光の波長に対する透過率を示す。図８（ｃ）に示すように、領域Ａ１は、青色光ＬＢ、緑色光ＬＧ、赤色光ＬＲ各々の色光が有する波長帯域のうち波長が低い側の光を透過させ、波長帯域のうち波長が高い側の光を遮断する。また、領域Ａ２は、青色光ＬＢ、緑色光ＬＧ、赤色光ＬＲ各々の色光が有する波長帯域のうち波長が高い側の光を透過させ、波長帯域のうち波長が低い側の光を遮断する。
【０００７】
制御部９１は、右眼用画像、及び左眼用画像の出射光Ｌ１を回転ホイール９２に対して順次出射するタイミングに同期させて、回転支持機構を介して円板部９２ａの回転を制御する。例えば、制御部９１は、右眼用画像の出射光Ｌ１を出射する期間、出射光Ｌ１が円板部９２ａの領域Ａ１に入射し、左眼用画像の出射光Ｌ１を出射する期間、出射光Ｌ１が円板部９２ａの領域Ａ２に入射するように、円板部９２ａの回転を制御する。なお、制御部９１は、プロジェクターＰＪに入力される画像データに含まれる、右眼用画像データと左眼用画像データとを識別する情報により、円板部９２ａの回転を制御する。
【０００８】
これにより、回転ホイール９２は、波長が互いに異なる、右眼用画像と左眼用画像との出射光Ｌ２を時系列にスクリーンＳＲに投射する。
鑑賞者は、スクリーンＳＲに表示される視差画像を、立体画像として見るために、鑑賞用メガネ３０を装着する。鑑賞用メガネ３０は、右側用ガラス３０Ｒと、左側用ガラス３０Ｌを有する。右側用ガラス３０Ｒは、回転ホイール９２の領域Ａ１に対応して、青色光ＬＢ、緑色光ＬＧ、赤色光ＬＲ各々の色光が有する波長帯域のうち波長が低い側の光を透過させ、波長帯域のうち波長が高い側の光を遮断する。また、左側用ガラス３０Ｌは、回転ホイール９２の領域Ａ２に対応して、青色光ＬＢ、緑色光ＬＧ、赤色光ＬＲ各々の色光が有する波長帯域のうち波長が高い側の光を透過させ、波長帯域のうち波長が低い側の光を遮断する。このように、鑑賞用メガネ３０の右側用ガラス３０Ｒと、左側用ガラス３０Ｌの透過率特性を、それぞれ回転ホイール９２の領域Ａ１、及び領域Ａ２の透過率特性に合わせる。従って、鑑賞者は、鑑賞用メガネ３０を装着して、右眼用画像、及び左眼用画像を、それぞれ左眼、及び右眼に波長の違いにより見ることができるので、人間の視覚特性により擬似的に立体画像を視認することができる。
【０００９】
ここで、回転ホイール９２は、円板部９２ａが回転すると、プロジェクターＰＪから出射光Ｌ１が入射する領域が、領域Ａ１、及び領域Ａ２の間で切り替わる構成となっている。そのため、出射光Ｌ１が入射する領域が、領域Ａ１、及び領域Ａ２のいずれか一方から他方へと切り替わるときに、領域Ａ１、及び領域Ａ２の両方の領域に出射光Ｌ１が入射する期間が存在する。図８（ｄ）は、領域Ａ１、及び領域Ａ２の両方の領域に出射光Ｌ１が入射する期間を、円板部（円板部９２ａ、及び円板部９２ｂ）の中心角に置き換えて示した図である。上段の図面では、円板部９２ａにおいて角度αの期間、領域Ａ１、及び領域Ａ２の両方の領域に出射光Ｌ１が入射することを示している。また、下段の図面では、円板部９２ｂにおいて角度βの期間、領域Ａ１、及び領域Ａ２の両方の領域に出射光Ｌ１が入射することを示している。領域Ａ１、及び領域Ａ２の両方の領域に出射光Ｌ１が入射する期間を短くするための対応としては、次に説明する対応が考えられる。すなわち、回転ホイール９２の単位時間の回転数が変わらないとして、図８（ｄ）の上段の図面、及び下段の図面に示すように、回転ホイール９２を構成する円板部の半径を長くして、角度αの期間を角度βの期間へ短くする対応が考えられる。しかしながら、この対応のように、回転ホイール９２を構成する円板部の半径を長くすることは、回転ホイールの面積増大を招き、画像表示システム９０のサイズ増加を生じさせるという問題がある。
【００１０】
また、回転ホイール９２（フィルタ）は、上述の様に入射光（出射光Ｌ１）のうち所定の波長の光を遮断するが、この光を吸収することなく、プロジェクターＰＪ側へ反射する。この反射光の光量は、入射光（出射光Ｌ１）の半分の量に相当する。そのため、反射光が入射するプロジェクターＰＪでは、例えばプロジェクターＰＪを構成する光源（ランプ）の温度上昇を招くなど、プロジェクターＰＪを発熱させて出射光Ｌ１の品質（表示画像の品質）の劣化を生じさせるおそれがある。
【００１１】
本発明は、このような事情に鑑みてなされた発明であり、波長分離方式を用いた画像表示システムにおいて、回転ホイールを用いずに波長分離を実現できる波長分離装置を提供することにより、システムの小型化を図ることを目的とする。また、本発明は、画像表示システムを構成する画像表示装置（例えば、プロジェクター）に対して光を反射しない波長分離装置を提供することにより、画像表示システムにおける表示画像の品質を向上することを目的とする。
【課題を解決するための手段】
【００１２】
本発明の波長分離装置は、右眼用画像の画像光と左眼用画像の画像光とが外部装置から時分割に入射され、入射される前記右眼用画像の画像光、及び前記左眼用画像の画像光を、第１の波長帯域を有し、偏光方向が第１偏光である第１出射光と、第２の波長帯域を有し、偏光方向が前記第１偏光と異なる第２偏光である第２出射光と、に分離可能に所定の波長域の光の偏光方向を変換して出射する波長板と、前記波長板を透過して入射される前記第１出射光、及び前記第２出射光を、前記右眼用画像の画像光、及び前記左眼用画像の画像光のいずれか一方の場合、前記第１出射光、及び前記第２出射光の偏光方向を変えないでそれぞれ出射し、前記右眼用画像の画像光、及び前記左眼用画像の画像光のいずれか他方の場合、前記第１出射光の偏光方向を前記第２偏光へ変更して、前記第２出射光の偏光方向を前記第１偏光へ変更して、それぞれ出射する偏光制御素子と、前記第１偏光と第２偏光とのうち一方の偏光方向に吸収軸を有し、他方の偏光方向の光を透過して出射する偏光板と、を備えることを特徴とする。
本発明の波長分離装置は、波長板、偏光制御素子、及び偏光板から構成されるので、波長分離方式を用いた画像表示システムにおいて、回転ホイールを用いずに波長分離を実現できる。また、本発明の波長分離装置は、画像表示システムを構成する画像表示装置（例えば、プロジェクター）から出射される光であって、右眼用画像、及び左眼用画像の出射光（画像光）を波長板により第１出射光、及び第２出射光に分離する。第１出射光、及び第２出射光が入射される偏光制御素子は、第１出射光、及び第２出射光を、それぞれ第１偏光、及び第２偏光のうちいずれか一方の偏光、残りを他方に変換して出射する。偏光板は、第２偏光と同一の偏光方向に吸収軸を有するので、透過しない第２偏光を、画像表示装置側へ反射することなく吸収する。これにより、画像表示システムを構成する画像表示装置に対して光を反射しない波長分離装置を提供することができ、画像表示システムにおける表示画像の品質を向上することができる。
【００１３】
本発明の画像表示システムは、上記に記載の波長分離装置と、前記右眼用画像の画像光と、前記左眼用画像の画像光と、を前記波長分離装置に出射する前記外部装置としての画像表示装置と、を備えることを特徴とする。
本発明の画像表示システムは、画像表示装置、波長分離装置から構成されるので、波長分離方式を用いた画像表示システムにおいて、回転ホイールを用いずに波長分離を実現できる。また、本発明の画像表示システムは、波長分離装置が画像表示装置に対して光を反射しないので、画像表示システムにおける表示画像の品質を向上することができる。
さらに、波長分離装置が、右眼用画像に対応する波長帯域の第１偏光、左眼用画像に対応する波長帯域の第１偏光を、時分割に出射する。鑑賞者が、鑑賞用メガネ（メガネ）を装着することにより、右眼用画像、及び左眼用画像を互いに波長の異なる視差画像として、右眼、及び左眼で選択的に見ることができる。これにより、画像表示装置が出射する青色光ＬＢ、緑色光ＬＧ、及び赤色光ＬＲの偏光軸が互いに異なっていても、波長分離方式を用いた画像表示システムを提供することができる。
【００１４】
また、本発明の画像表示システムは、前記画像表示装置は、走査線を一括駆動する面順次駆動方式により所定周期で駆動する液晶パネルを有し、前記波長分離装置は、前記偏光制御素子の画素領域における光の偏光方向の切替を、前記所定周期の始まりの時刻に同期させて行なう制御部を有することを特徴とする。
上記構成により、画像表示装置が有する液晶パネルを面順次で駆動する場合、制御部は、偏光制御素子の画素領域における光の偏光方向の切替を、画像表示装置の液晶パネル駆動に同期させて行う。そのため、画像表示装置が出射する右眼用画像、及び左眼用画像との切替タイミングと、波長分離装置が、右眼用画像に対応する波長帯域の第１偏光、左眼用画像に対応する波長帯域の第１偏光を出射するタイミングが最適に調整される。これにより、鑑賞者は、鑑賞用メガネを装着することにより、右眼用画像、及び左眼用画像を互いに波長の異なる視差画像として、右眼、及び左眼で選択的に見ることができる。
【００１５】
また、本発明の画像表示システムは、前記偏光制御素子は、複数の画素領域を有し、前記画像表示装置は、走査線を順次駆動する線順次駆動方式により所定周期で駆動する液晶パネルを有し、前記波長分離装置は、前記順次駆動に対応して、前記偏光制御素子の前記複数の画素領域ごとに前記偏光方向を変えない状態と前記偏光方向を変える状態との切り換える駆動を行なう制御部を有することを特徴とする。
上記構成により、画像表示装置が有する液晶パネルを線順次で駆動する場合、制御部は、偏光制御素子の各画素領域における光の偏光方向の切替を、画像表示装置の液晶パネル駆動に同期させて行う。そのため、画像表示装置が出射する右眼用画像、及び左眼用画像との切替タイミングと、波長分離装置が右眼用画像に対応する波長帯域の第１偏光、左眼用画像に対応する波長帯域の第１偏光を出射するタイミングと、が最適に調整される。これにより、右眼用画像、及び左眼用画像のいずれか一方から他方への切替において発生する、右眼用画像が左眼に、或いは左眼用画像が右眼に入射する現象、いわゆるクロストーク現象を抑制することができる。
【００１６】
また、本発明の画像表示システムは、右眼側、及び左眼側のいずれか一方が前記第１の波長帯域の光を透過させる透過特性を有し、右眼側、及び左眼側のいずれか他方が前記第２の波長帯域の光を透過させる透過特性を有するメガネをさらに備えることを特徴とする。
上記構成により、鑑賞者は、鑑賞用メガネ（メガネ）を装着することにより、右眼用画像、及び左眼用画像を互いに波長の異なる視差画像として、右眼、及び左眼で選択的に見ることができる。
【図面の簡単な説明】
【００１７】
【図１】画像表示システム１０の構成を示すブロック図である。
【図２】画像表示システム１０を構成する部品の特性を説明するための図である。
【図３】プロジェクターＰＪの一例を示す概略構成図である。
【図４】面順次駆動方法について説明するための図である。
【図５】線順次駆動方法について説明するための図である。
【図６】画像表示システム１０の動作を説明するための図である。
【図７】画像表示システム９０の構成を示すブロック図である。
【図８】画像表示システム９０の動作を説明するための図である。
【発明を実施するための形態】
【００１８】
以下、図面を参照して、本発明の実施形態について説明する。図１は、本発明の実施形態における波長分離装置２０を用いて、画像の立体視を行なう画像表示システム１０の構成を示すブロック図である。また、図２は、画像表示システム９０を構成する部品の特性を説明するための図である。なお、図１において、図７と同一の部分には同一の符号を付し、その説明を適宜省略する。
本実施形態においては、プロジェクターＰＪを用いて、スクリーンＳＲに対して立体視のための視差画像である、互いに波長の異なる右眼用画像、及び左眼用画像を、時分割に表示する、いわゆる波長分離方式を用いた画像表示システムについて説明する。
画像表示システム１０は、図１に示すように、プロジェクターＰＪ、波長分離装置２０、スクリーンＳＲ、及び鑑賞用メガネ３０を含んで構成される。
【００１９】
プロジェクターＰＪは、外部から供給される画像データ（右眼用画像データ、及び左眼用画像データ）を、画像の出射光に変換し、時分割により一定の所定周期で交互に、右眼用画像、及び左眼用画像の出射光Ｌ１として出射する。以下、右眼用画像の出射光を出射光Ｌ１Ｒ（右眼用画像の画像光）とし、左眼用画像の出射光を出射光Ｌ１Ｌ（左眼用画像の画像光）とする。なお、本実施形態において、プロジェクターＰＪは、赤色光ＬＲ、及び青色光ＬＢが垂直偏光、緑色光ＬＧが水平偏光となった出射光Ｌ１を出射する。また、本実施形態においては、ｚ軸方向に対して平行に光が伝播し、ｘ軸方向（図１の上下方向）に偏光軸を有する光を垂直偏光、ｙ軸方向（ｘ軸、及びｚ軸を含む面に垂直な方向）に偏光軸を有する光を水平偏光として説明する。
【００２０】
波長分離装置２０は、制御部２１、狭帯域波長板２２、偏光用液晶パネル２３、及び偏光板２４から構成される。
制御部２１は、プロジェクターＰＪと同様の画像データが供給され、画像データに含まれる右眼用画像データと左眼用画像データとを識別する識別情報を抽出する。また、制御部２１は、抽出した識別情報により、プロジェクターＰＪが出射する出射光Ｌ１Ｒ，及び出射光Ｌ１Ｌの切替タイミングを検出する。そして、制御部２１は、検出した切替タイミングに同期して、偏光用液晶パネル２３に対して、出射光Ｌ１Ｒ，及び出射光Ｌ１ＬのいずれがプロジェクターＰＪから出射されるかを示す制御情報を出力する。
【００２１】
狭帯域波長板２２（波長板）は、青色光ＬＢ、緑色光ＬＧ、及び赤色光ＬＲの各々を、各色光の波長帯域内において、互いに波長帯域が異なり、かつ、互いに偏光軸が９０°回転した関係にある出射光に分離して出射する。ここで、図２（ａ）は、狭帯域波長板２２の特性を示した図である。図２（ａ）の上段の図は、狭帯域波長板２２の入射光における１／２波長の位相差の有無を示した図であり、図２（ｂ）は、プロジェクターＰＪの出射光Ｌ１のスペクトル、すなわち波長毎の強度（光量）を示している。
【００２２】
狭帯域波長板２２は、青色光ＬＢを、波長帯域の下側において位相差を発生させないで青色光ＬＢＤとして出射し、波長帯域の上側において１／２波長の位相差を発生させて青色光ＬＢＵとして出射する。また、狭帯域波長板２２は、緑色光ＬＧを、波長帯域の下側において位相差を発生させて緑色光ＬＧＤとして出射し、波長帯域の上側において１／２波長の位相差を発生させて緑色光ＬＧＵとして出射する。また、狭帯域波長板２２は、赤色光ＬＲを、波長帯域の下側において位相差を発生させないで赤色光ＬＲＤとして出射し、波長帯域の上側において１／２波長の位相差を発生させて赤色光ＬＲＵとして出射する。
なお、狭帯域波長板２２において、１／２波長の位相差を発生する波長帯域は、実験等により予め設定される。例えば、各色光の波長帯域内において、分離される色光の光量を波長に対して積分した積分値が互いに等しくなるように設定される。或いは、各色の光量とともに、狭帯域波長板２２と同じスペクトル特性を有する鑑賞用メガネ３０を装着する鑑賞者が、右眼用画像と左眼用画像を選択的に見て、各画像の各色に対して違和感を抱かないように設定してもよい。
【００２３】
本実施形態においては、プロジェクターＰＪは、赤色光ＬＲ、及び青色光ＬＢが垂直偏光、緑色光ＬＧが水平偏光となった出射光Ｌ１を出射する。そのため、狭帯域波長板２２は、プロジェクターＰＪの出射光Ｌ１の波長帯域に応じて偏光状態を変換し、出射光Ｌ１を偏光方向により分離可能な光にして、出射光Ｌ３として出射する。ここで、出射光Ｌ３は、垂直偏光である出射光Ｌ３１（青色光ＬＢＤ、緑色光ＬＧＤ，及び赤色光ＬＲＤ）と、水平偏光である出射光Ｌ３２（青色光ＬＢＵ、緑色光ＬＧＵ，及び赤色光ＬＲＵ）と、を含む。
【００２４】
つまり、狭帯域波長板２２は、第１の波長帯域を有し、偏光方向が第１偏光（垂直偏光）である出射光Ｌ３１（第１出射光）と、第２の波長帯域を有し、偏光方向が第１偏光と９０°異なる第２偏光（水平偏光）である出射光Ｌ３２（第２出射光）と、に偏光方向により分離可能な光にして出射する。ここで、第１の波長帯域とは、出射光Ｌ１が含む色光が垂直偏光（本実施形態では赤色光ＬＲ、及び青色光ＬＢ）の場合、狭帯域波長板２２が１／２波長の位相差を発生させない帯域である。また、第１の波長帯域とは、出射光Ｌ１が含む色光が水平偏光（本実施形態では緑色光ＬＧ）の場合、狭帯域波長板２２が１／２波長の位相差を発生させる帯域である。本実施形態において、第１の波長帯域とは、鑑賞者の右眼に入射させる光に対応している。
一方、第２の波長帯域とは、出射光Ｌ１が含む色光が垂直偏光（本実施形態では赤色光ＬＲ、及び青色光ＬＢ）の場合、狭帯域波長板２２が１／２波長の位相差を発生させる帯域である。また、第２の波長帯域とは、出射光Ｌ１が含む色光が水平偏光（本実施形態では緑色光ＬＧ）の場合、狭帯域波長板２２が１／２波長の位相差を発生させない帯域である。本実施形態において、第２の波長帯域とは、鑑賞者の左眼に入射させる光に対応している。
【００２５】
偏光用液晶パネル２３（偏光制御素子）は、制御部２１からの制御情報により、内部の画素に電圧を印加するか否かを判定し、判定結果により１／２波長の位相差を発生させるか否かを制御する。例えば、偏光用液晶パネル２３は、内部の画素に電圧を印加する場合（オン状態）、１／２波長の位相差を発生させ、内部の画素に電圧を印加しない場合（オフ状態）、１／２波長の位相差を発生させない。
【００２６】
従って、制御部２１が、プロジェクターＰＪの出射光が左眼用画像の出射光Ｌ１Ｌから右眼用画像の出射光Ｌ１Ｒへ切り替わったと検出した時に（右眼用画像の場合）、偏光用液晶パネル２３は、出射光Ｌ３を出射する。すなわち、偏光用液晶パネル２３は、狭帯域波長板２２の出射光Ｌ３（入射される入射光）を、垂直偏光である出射光Ｌ３１（第１出射光）、及び水平偏光である出射光Ｌ３２（第２出射光）の偏光方向を変えないでそれぞれ出射する。
また、制御部２１が、プロジェクターＰＪの出射光が右眼用画像の出射光Ｌ１Ｒから左眼用画像の出射光Ｌ１Ｌへ切り替わったと検出した時に（左眼用画像の場合）、偏光用液晶パネル２３は、出射光Ｌ３’を出射する。すなわち、偏光用液晶パネル２３は、狭帯域波長板２２の出射光Ｌ３を、垂直偏光である出射光Ｌ３１の偏光方向を水平偏光へ変更して（出射光Ｌ３１’とする）、水平偏光である出射光Ｌ３２の偏光方向を垂直偏光へ変更して（出射光Ｌ３２’とする）、それぞれ出射する。
【００２７】
偏光板２４（偏光板）は、水平偏光（第２偏光）と同一の偏光方向に吸収軸を有しており、偏光用液晶パネル２３から入射される垂直偏光（第１偏光）を、出射光Ｌ２として出射する。このため、偏光用液晶パネル２３が出射光Ｌ３を出射する場合、垂直偏光である出射光Ｌ３１を透過させ、水平偏光である出射光Ｌ３２を吸収して反射しない。また、偏光用液晶パネル２３が出射光Ｌ３’を出射する場合、垂直偏光である出射光Ｌ３２’を透過させ、水平偏光である出射光Ｌ３１’を吸収して反射しない。
【００２８】
以上の構成により、波長分離装置２０は、プロジェクターＰＪが出射する右眼用画像の出射光である出射光Ｌ１Ｒのうち、波長帯域が第１の波長帯域である光を、垂直偏光である出射光Ｌ２Ｒとして出射する。また、波長分離装置２０は、プロジェクターＰＪが出射する左眼用画像の出射光である出射光Ｌ１Ｌのうち、波長帯域が第２の波長帯域である光を、垂直偏光である出射光Ｌ２Ｌとして出射する。
なお、波長分離装置２０は、上述した狭帯域波長板２２、偏光用液晶パネル２３、及び偏光板２４を積層して構成してもよい。
【００２９】
スクリーンＳＲには、波長分離装置２０から出射される右眼用画像の出射光Ｌ２Ｒと、この右眼用画像の出射光Ｌ２Ｒと波長帯域が異なる、左眼用画像の出射光Ｌ２Ｌとが時分割に所定周期で投射される。
鑑賞用メガネ３０（メガネ）は、スクリーンＳＲから反射された右眼用画像の出射光Ｌ２Ｒの光を透過させる透過特性を有する右側用ガラス３０Ｒ（右眼側）と、スクリーンＳＲから反射された左眼用画像の出射光Ｌ２Ｌの光を透過させる透過特性を有する左側用ガラス３０Ｌ（左眼側）と、を備えている。
図２（ｂ）は、鑑賞用メガネ３０の特性を示した図である。図２（ｂ）の上段の図は、右側用ガラス３０Ｒと左側用ガラス３０Ｌとの透過領域を示した図であり、図２（ｂ）は、プロジェクターＰＪの出射光Ｌ１のスペクトル、すなわち波長毎の光量を示している。
【００３０】
鑑賞用メガネ３０は、狭帯域波長板２２のスペクトル特性に対応した透過特性を有している。すなわち、右側用ガラス３０Ｒは、第１の波長帯域である青色光ＬＢＤ、緑色光ＬＧＤ、及び赤色光ＬＲＤを透過させ、第２の波長帯域である青色光ＬＢＵ、緑色光ＬＧＵ、及び赤色光ＬＲＵを遮断する。また、左側用ガラス３０Ｌは、第１の波長帯域である青色光ＬＢＤ、緑色光ＬＧＤ、及び赤色光ＬＲＤを遮断し、第２の波長帯域である青色光ＬＢＵ、緑色光ＬＧＵ、及び赤色光ＬＲＵを透過させる。
【００３１】
従って、鑑賞者は、鑑賞用メガネ３０を装着してスクリーンＳＲを見ることにより、右眼に右眼用画像の出射光Ｌ２Ｒが入射し、左眼に左眼用画像の出射光Ｌ２Ｌが入射することとなり、これらの視差画像によって擬似的な立体視を行なうことができる。
【００３２】
次に、プロジェクターＰＪの構成、及び動作について、図３を参照して説明する。図３は、液晶ライトバルブを３個用いた、いわゆる３板式のプロジェクターＰＪの一例を示す概略構成図である。プロジェクターＰＪは、光源１１００、反射ミラー１１０６、ダイクロイックミラー１１０８、リレーレンズ１１２２、リレーレンズ１１２３、リレーレンズ１１２４、赤色用液晶ライトバルブ１００Ｒ、緑色用液晶ライトバルブ１００Ｇ、及び青色用液晶ライトバルブ１００Ｂを備える。また、プロジェクターＰＪは、クロスダイクロイックプリズム１１１２、投射レンズ系１１１４、及び液晶駆動部１１３０を備える。
【００３３】
光源１１００は、メタルハライド等のランプ１１０２とランプ１１０２の光を反射するリフレクター１１０１と、リフレクター１１０１からの無偏光の光を１種類の直線偏光に変換する偏光変換素子１１０３を備える。偏光変換素子１１０３は、図示しない偏光分離膜、反射膜及びλ／２位相差板を備え、リフレクター１１０１からの光を偏光分離膜により２種類の直線偏光に分離し、反射膜により分離された２種類の直線偏光の進む方向を揃え、λ／２位相差板により２種類の直線偏光のうち一方を他方の偏光方向に変換する。本実施形態において、偏光変換素子１１０３は、リフレクター１１０１からの無偏光の光を垂直方向（図３の紙面に垂直な方向）の直線偏光に変換して出射する。青色光、及び緑色光を反射するダイクロイックミラー１１０８は、光源１１００からの白色光のうちの赤色光を透過させるとともに、青色光と緑色光とを反射する。透過した赤色光は、反射ミラー１１０６で反射され、赤色用液晶ライトバルブ１００Ｒに入射する。赤色用液晶ライトバルブ１００Ｒは、図示しないλ／２位相差板、入射側偏光板、液晶パネル、及び出射側偏光板を備える。反射ミラー１１０６からの光は、λ／２位相差板で水平方向（図３の紙面に平行な方向）の直線偏光に変換され、水平方向の直線偏光を透過する入射側偏光板を介して液晶パネルへと入射する。液晶パネルに入射した光は、赤色光に対応する画像データに応じて変調され、変調された光のうち、出射側偏光板により垂直方向の偏光成分の光のみがダイクロイックミラー１１０８へと出射される。
【００３４】
一方、ダイクロイックミラー１１０８で反射された色光のうち、緑色光は、緑色光を反射するダイクロイックミラー１１０８によって反射され、緑色用液晶ライトバルブ１００Ｇに入射する。緑色用液晶ライトバルブ１００Ｇは、図示しない入射側偏光板、液晶パネル、及び出射側偏光板を備える。ダイクロイックミラー１１０８からの光は、垂直方向の直線偏光を透過する入射側偏光板を介して液晶パネルへと入射する。液晶パネルに入射した光は、緑色光に対応する画像データに応じて変調され、変調された光のうち、出射側偏光板により水平方向の偏光成分の光のみがダイクロイックミラー１１０８へと出射される。
一方、青色光は、ダイクロイックミラー１１０８も透過する。青色光に対しては、光路長が緑色光、赤色光と異なることを補償するため、入射レンズであるリレーレンズ１１２２、リレーレンズ１１２３、出射レンズであるリレーレンズ１１２４を含むリレーレンズ系からなる導光手段１１２１が設けられる。導光手段１１２１を介して、青色光が青色用液晶ライトバルブ１００Ｂに入射する。青色用液晶ライトバルブ１００Ｂは、図示しないλ／２位相差板、入射側偏光板、液晶パネル、及び出射側偏光板を備える。リレーレンズ１１２４からの光は、λ／２位相差板で水平方向（図３の紙面に平行な方向）の直線偏光に変換され、水平方向の直線偏光を透過する入射側偏光板を介して液晶パネルへと入射する。液晶パネルに入射した光は、青色光に対応する画像データに応じて変調され、変調された光のうち、出射側偏光板により垂直方向の偏光成分の光のみがダイクロイックミラー１１０８へと出射される。
ここで、各液晶ライトバルブにおいて、画像データのＲＧＢ（Ｒｅｄ−Ｇｒｅｅｎ−Ｂｌｕｅ）の成分の各々が、赤色光、緑色光、青色光として、液晶駆動部１１３０により制御される。
【００３５】
赤色用液晶ライトバルブ１００Ｒ、緑色用液晶ライトバルブ１００Ｇ、青色用液晶ライトバルブ１００Ｂにより変調された３つの色光各々は、クロスダイクロイックプリズム１１１２に入射する。このクロスダイクロイックプリズム１１１２は、４つの直角プリズムが貼り合わされ、その内面に赤色光を反射する誘電体多層膜と青色光を反射する誘電体多層膜とが十字状に形成されたものである。これらの誘電体多層膜によって３つの色光が合成されて、カラー画像を表す光が形成される。合成された光は、投射手段である投射レンズ系１１１４によって、波長分離装置２０を介してスクリーンＳＲ上に投射され、各液晶ライトバルブの表示画像がスクリーンＳＲに拡大されて表示される。
【００３６】
次に、赤色用液晶ライトバルブ１００Ｒ、緑色用液晶ライトバルブ１００Ｇ、青色用液晶ライトバルブ１００Ｂ（画像表示装置が有する液晶パネル）を駆動する駆動方式と、駆動方式における制御部２１の動作について説明する。図４は、赤色用液晶ライトバルブ１００Ｒ、緑色用液晶ライトバルブ１００Ｇ、青色用液晶ライトバルブ１００Ｂを、走査線を一括駆動する面順次駆動方式を採用して駆動する場合の制御部２１の構成、及び動作を示す図である。また、図５は、赤色用液晶ライトバルブ１００Ｒ、緑色用液晶ライトバルブ１００Ｇ、青色用液晶ライトバルブ１００Ｂを、走査線を順次駆動する線順次駆動方式を採用して駆動する場合の制御部２１の構成、及び動作を示す図である。
上述した赤色用液晶ライトバルブ１００Ｒ、緑色用液晶ライトバルブ１００Ｇ、及び青色用液晶ライトバルブ１００Ｂ各々は、一対の基板と基板間に挟持された液晶とを有する液晶パネル及び入射側及び出射側偏光板を備え、透過率を独立に制御可能な複数の画素がマトリクス状に配列された構成を有している。液晶パネルの光透過領域には複数の走査線と複数のデータ線とが互いに交差して設けられる。なお、各液晶ライトバルブにおける液晶パネルは、その順次方向（縦方向）が図３の紙面の垂直な方向に一致している。すなわち、各液晶パネルにおける複数の走査線は、この縦方向と直交する横方向（図３の紙面に平行な方向）に設けられている。
【００３７】
プロジェクターＰＪが面順次駆動方式を採用する場合、液晶駆動部１１３０は、複数のデータ線に画像データを供給する一方、複数の走査線を一括して駆動、すなわち走査線を面順次に走査する。これにより、各走査線に対応する行方向に並ぶ複数の画素（画素群）に画像データが一括して書き込まれる。
例えば、赤色光変調用の赤色用液晶ライトバルブ１００Ｒは、入射した赤色光を画像データに基づいて光変調し、光学像を内包した画像光を射出する。緑色光変調用の緑色用液晶ライトバルブ１００Ｇ、青色光変調用の青色用液晶ライトバルブ１００Ｂの作用も赤色用液晶ライトバルブ１００Ｒと同様である。
本実施形態の場合、画像データ（１フレーム）は、左眼用画像データと右眼用画像データとで構成されている。右眼用画像データ（１サブフレーム）は面順次で各液晶ライトバルブに書き込まれ、左眼用画像データ（１サブフレーム）は右眼用画像データと時間的に隣接する期間に面順次方式で書き込まれる。この書込み動作が繰り返され、右眼用画像データと左眼用画像データとは交互に各液晶ライトバルブ書き込まれる。各液晶ライトバルブは、書き込まれた右眼用画像データまたは左眼用画像データに基づいて光変調を行う。ここで、各サブフレームのフレームレートは、液晶駆動部１１３０により、例えば１２０Ｈｚに設定されている。各液晶ライトバルブは、図４（ｂ）下段に示すように、右眼用画像データと左眼用画像データとを、それぞれ周期Ｔ１、周期Ｔ２の所定周期で、交互に表示するとともに、いずれか一方から他方へ、液晶画面全体について表示を切り替える。例えば、周期Ｔ１＝周期Ｔ２＝６０Ｈｚ（１／６０＝１６．６ミリ秒）として、右眼用画像データと左眼用画像データとを、それぞれ８．３ミリ秒の期間表示するとともに、いずれか一方から他方へ、液晶画面全体について表示を切り替える。
【００３８】
一方、プロジェクターＰＪが線順次駆動方式を採用する場合、液晶駆動部１１３０は、複数のデータ線に画像データを供給する一方、複数の走査線を一方から他方に順次に駆動、すなわち走査線を線順次に走査する。これにより、各走査線に対応する行方向に並ぶ複数の画素（画素群）に画像データが順次書き込まれる。
右眼用画像データ（１サブフレーム）は線順次で各液晶ライトバルブに書き込まれ、左眼用画像データ（１サブフレーム）は右眼用画像データと時間的に隣接する期間に線順次方式で書き込まれる。この書込み動作が繰り返され、右眼用画像データと左眼用画像データとは交互に各液晶ライトバルブ書き込まれる。各液晶ライトバルブは、書き込まれた右眼用画像データまたは左眼用画像データに基づいて光変調を行う。ここで、各サブフレームのフレームレートは、面順次駆動方式と同様に液晶駆動部１１３０により、例えば６０Ｈｚに設定されているものとする。各液晶ライトバルブは、図５（ｂ）上段に示すように、右眼用画像データと左眼用画像データとを、それぞれ周期Ｔ１、周期Ｔ２の所定周期で、交互に表示するとともに、いずれか一方から他方へ、表示を切り替える。例えば、周期Ｔ１＝周期Ｔ２＝６０Ｈｚ（１／６０＝１６．６ミリ秒）とすると、各液晶ライトバルブは、次のように表示を切り替える。すなわち、各液晶ライトバルブは、いずれか一方から他方へ、液晶パネルの縦方向における上側から下側へと、各走査線に対して８．３ミリ秒の期間表示させつつ、表示を切り替える。
【００３９】
まず、プロジェクターＰＪが、上述した面順次駆動方式を採用する場合の偏光用液晶パネル２３の構成、及び動作について説明する。偏光用液晶パネル２３は、一対の基板と基板間に挟持された液晶とを備え、透過する光に与える位相差を制御部２１からの制御信号により制御可能な複数の画素がマトリクス状に配列された構成（画素領域）を有している。そして、偏光用液晶パネル２３の光透過領域には、１つの駆動線（駆動線Ｄとする）が設けられる。
図４（ａ）に示すように、制御部２１は、この駆動線Ｄに対して制御信号として所定の電圧を印加する構成となっている。そして、制御部２１が、この駆動線Ｄに対して制御信号として所定の電圧を印加すると、偏光用液晶パネル２３は、自身の厚さ方向に１／２波長の位相差を発生させる。制御部２１は、プロジェクターＰＪが出射する出射光が右眼用画像の出射光Ｌ１Ｒから左眼用画像の出射光Ｌ１Ｌへ切り替わるタイミングで、制御信号として所定の電圧を偏光用液晶パネル２３の駆動線Ｄに印加する。これにより、図４（ｂ）上段に示すように、偏光用液晶パネル２３は、自身の厚さ方向に１／２波長の位相差を発生させる。また、制御部２１は、プロジェクターＰＪが出射する出射光が左眼用画像の出射光Ｌ１Ｌから右眼用画像の出射光Ｌ１Ｒへ切り替わるタイミングで、制御信号として所定の電圧を偏光用液晶パネル２３の駆動線Ｄに印加することを停止する。これにより、偏光用液晶パネル２３は、図４（ｂ）上段に示すように、自身の厚さ方向に１／２波長の位相差を発生することを停止し、つまり位相差０の状態にさせる。
【００４０】
一方、プロジェクターＰＪが、上記線順次駆動方式を採用する場合の偏光用液晶パネル２３の構成、及び動作について説明する。この場合、偏光用液晶パネル２３は、一対の基板と基板間に挟持された液晶とを備え、透過する光に与える位相差を制御部２１からの制御信号により制御可能な複数の画素がマトリクス状に配列された液晶（画素領域）をｎ個（本実施形態においてはｎ＝４）有する構成を有している。そして、偏光用液晶パネル２３の光透過領域には４本の駆動線が設けられる。
図５（ａ）に示すように、制御部２１は、この４本の駆動線に対して制御信号として所定の電圧を印加する構成となっている。そして、制御部２１は、この駆動線に対して制御信号として所定の電圧を印加すると、偏光用液晶パネル２３における各液晶（各画素領域）は、自身の厚さ方向に１／２波長の位相差を発生させる。なお、プロジェクターＰＪにおける液晶ライトバルブの走査線の駆動が、図５（ｂ）上段の様に、液晶パネルの縦方向における上側から下側へと線順次で走査させる場合、液晶１〜液晶４は、次のように駆動される。すなわち、投射レンズ系１１１４によって、スクリーンに投射される画像と液晶バルブに表示される画像とが上下左右反転する。そのため、液晶１〜液晶４は、液晶ライトバルブとは反対に、液晶パネルの縦方向における下側から上側へと順次駆動される。
【００４１】
つまり、制御部２１は、プロジェクターＰＪが出射する出射光が右眼用画像の出射光Ｌ１Ｒから左眼用画像の出射光Ｌ１Ｌへ切り替わるタイミングで、次のように制御信号として所定の電圧を偏光用液晶パネル２３の各液晶の駆動線（駆動線Ｄ１〜駆動線Ｄ４とする）へ印加する。
右眼用画像の出射光Ｌ１Ｒの周期Ｔ１、及び左眼用画像の出射光Ｌ１Ｌの周期Ｔ２（所定周期）は、１つの画像に対応する右眼用画像データ及び左眼用画像データを含む１フレームの周期に等しい。制御部２１は、この左眼用画像データの所定周期Ｔ２を（ｎ×４）分割した区間の２番目の区間の始まりの時刻から（ｎ×２）番目の区間の始まりの時刻までの２区間ごとの始まりの時刻にそれぞれ同期させて、制御信号として所定の電圧を駆動線Ｄ４、駆動線Ｄ３、駆動線Ｄ２、及び駆動線Ｄ１へ順次印加する。これにより、偏光用液晶パネル２３における各液晶は、右眼用画像の出射光Ｌ１Ｒから左眼用画像の出射光Ｌ１Ｌへ切り替わるタイミングから、左眼用画像データの所定周期Ｔ２の１／１６、３／１６、５／１６、７／１６周期分ずれたタイミングで、自身の厚さ方向に１／２波長の位相差を順次発生させる。
また、制御部２１は、右眼用画像データの所定周期Ｔ１を（ｎ×４）分割した区間の２番目の区間の始まりから（ｎ×２）番目の区間の始まりの時刻までの２区間ごとの始まりの時刻にそれぞれ同期させて、制御信号として所定の電圧を駆動線Ｄ４、駆動線Ｄ３、駆動線Ｄ２、及び駆動線Ｄ１へ印加することを停止する。これにより、偏光用液晶パネル２３における各液晶は、左眼用画像の出射光Ｌ１Ｌから右眼用画像の出射光Ｌ１Ｒへ切り替わるタイミングから、右眼用画像データの所定周期Ｔ１の１／１６、３／１６、５／１６、７／１６周期分ずれたタイミングで、自身の厚さ方向に１／２波長の位相差を発生することを停止し、つまり位相差０の状態にする。
【００４２】
このように、例えば、プロジェクターＰＪにおける各液晶ライトバルブが、線順次駆動により１２０Ｈｚ（８．３ミリ秒）で左右の映像を交互に表示している（１フレームは、１６．６ミリ秒）場合、偏光用液晶パネル２３の液晶１〜液晶４は、次のように駆動される。
すなわち、偏光用液晶パネル２３の液晶１〜液晶４各々における各画素は、２．１ミリ秒（=１６．６ミリ秒／８）だけずれたタイミングで駆動される。このように、偏光用液晶パネル２３の液晶１〜液晶４各々における各画素の駆動は、プロジェクターＰＪ内部の液晶ライトバルブの走査線の順次駆動での右眼用画像と左眼用画像の境界部の位置が液晶ライトバルブの縦方向（順次方向）の１／８，３／８，５／８，７／８に位置するタイミングと同期させることで最適化される。これにより、右眼用画像、及び左眼用画像のいずれか一方から他方への切替において発生する、右眼用画像が左眼に、或いは左眼用画像が右眼に入射する現象、いわゆるクロストークを最小化できる。
【００４３】
次に、図６は、画像表示システム１０の動作を説明するための図である。図６（ａ）は、プロジェクターＰＪが、右眼用画像の出射光Ｌ１Ｒを出射する場合の、狭帯域波長板２２、偏光用液晶パネル２３、及び偏光板２４各々における出射光の波長に対する強度を示す。また、図６（ｂ）は、プロジェクターＰＪが、左眼用画像の出射光Ｌ１Ｌを出射する場合の、狭帯域波長板２２、偏光用液晶パネル２３、及び偏光板２４各々における出射光の波長に対する強度を示す。なお、図６においては、垂直偏光をＶ波、水平偏光をＨ波として示している。
【００４４】
プロジェクターＰＪには、外部装置（図６において不図示）から、右眼用画像データと左眼用画像データとの各々が、それぞれ所定周期Ｔ１と所定周期Ｔ２とで交互に、時分割で供給される。ここで、右眼用画像データには右眼用画像データであることを識別する右側識別情報が含まれ、左眼用画像データには左眼用画像データであることを識別する左側識別情報が含まれる。これにより、プロジェクターＰＪにおいて、液晶駆動部１１３０は、右眼用画像データに基づいて、各液晶ライトバルブを面順次駆動、若しくは線順次駆動し、プロジェクターＰＪは右眼用画像データを右眼用画像の出射光Ｌ１Ｒとして所定周期Ｔ１において出射する。また、プロジェクターＰＪにおいて、液晶駆動部１１３０は、左眼用画像データに基づいて、各液晶ライトバルブを面順次駆動、若しくは線順次駆動し、プロジェクターＰＪは左眼用画像データを左眼用画像の出射光Ｌ１Ｌとして所定周期Ｔ２において出射する。
【００４５】
図６（ａ）に示すように、プロジェクターＰＪは右眼用画像データが供給されると、右眼用画像の出射光Ｌ１Ｒを出射する。また、制御部２１は、右眼用画像データが供給されることにより、プロジェクターＰＪの出射光が左眼用画像の出射光Ｌ１Ｌから右眼用画像の出射光Ｌ１Ｒに切り替わるタイミングであることを検出する。これにより、制御部２１は、左眼用画像の出射光Ｌ１Ｌから右眼用画像の出射光Ｌ１Ｒに切り替わるタイミングに同期して、偏光用液晶パネル２３に対して、プロジェクターＰＪの駆動方式に応じて、制御信号としての電圧印加を停止することを開始する。
【００４６】
狭帯域波長板２２は、入射される右眼用画像の出射光Ｌ１Ｒを、上述した通り特定の波長域の光に対して偏光状態を変換して、出射光Ｌ３として出射する。ここで、出射光Ｌ３は、上述の通り、垂直偏光である出射光Ｌ３１（青色光ＬＢＤ、緑色光ＬＧＤ，及び赤色光ＬＲＤ）と、水平偏光である出射光Ｌ３２（青色光ＬＢＵ、緑色光ＬＧＵ，及び赤色光ＬＲＵ）と、を含む。
【００４７】
偏光用液晶パネル２３は、狭帯域波長板２２の出射光Ｌ３（入射される入射光）を、垂直偏光である出射光Ｌ３１（第１出射光）、及び水平偏光である出射光Ｌ３２（第２出射光）の偏光方向を変えないでそれぞれ出射する。つまり、偏光用液晶パネル２３は、狭帯域波長板２２の出射光Ｌ３をそのまま透過させる。
【００４８】
偏光板２４は、水平偏光（第２偏光）と同一の偏光方向に吸収軸を有しており、偏光用液晶パネル２３から入射される垂直偏光（第１偏光）を、出射光Ｌ２として出射する。このため、偏光用液晶パネル２３が出射光Ｌ３を出射するので、垂直偏光である出射光Ｌ３１を透過させ、水平偏光である出射光Ｌ３２を吸収して反射しない。つまり、波長分離装置２０は、プロジェクターＰＪが出射する右眼用画像の出射光である出射光Ｌ１Ｒのうち、波長帯域が第１の波長帯域である光を、垂直偏光である出射光Ｌ２Ｒとして出射する。
【００４９】
一方、図６（ｂ）に示すように、プロジェクターＰＪは左眼用画像データが供給されると、左眼用画像の出射光Ｌ１Ｌを出射する。また、制御部２１は、左眼用画像データが供給されることにより、プロジェクターＰＪの出射光が右眼用画像の出射光Ｌ１Ｒから左眼用画像の出射光Ｌ１Ｌに切り替わるタイミングであることを検出する。これにより、制御部２１は、右眼用画像の出射光Ｌ１Ｒから左眼用画像の出射光Ｌ１Ｌに切り替わるタイミングに同期して、偏光用液晶パネル２３に対して、プロジェクターＰＪの駆動方式に応じて、制御信号としての電圧印加を開始する。
【００５０】
狭帯域波長板２２は、入射される右眼用画像の出射光Ｌ１Ｌを、上述した通り特定の波長域の光に対して偏光状態を変換して、出射光Ｌ３として出射する。
偏光用液晶パネル２３は、狭帯域波長板２２の出射光Ｌ３を、垂直偏光である出射光Ｌ３１の偏光方向を水平偏光へ変更して出射光Ｌ３１’を、水平偏光である出射光Ｌ３２の偏光方向を垂直偏光へ変更して出射光Ｌ３２’を、それぞれ出射する。つまり、偏光用液晶パネル２３は、狭帯域波長板２２の出射光Ｌ３の偏光軸を９０°回転させて出射光Ｌ３’として出射する。
偏光板２４は、偏光用液晶パネル２３からの出射光Ｌ３’のうち、垂直偏光である出射光Ｌ３２’を透過させ、水平偏光である出射光Ｌ３１’を吸収して反射しない。つまり、波長分離装置２０は、プロジェクターＰＪが出射する左眼用画像の出射光である出射光Ｌ１Ｌのうち、波長帯域が第２の波長帯域である光を、垂直偏光である出射光Ｌ２Ｌとして出射する。
【００５１】
上述したように、本発明の波長分離装置２０は、狭帯域波長板２２、偏光用液晶パネル２３、及び偏光板２４から構成されるので、波長分離方式を用いた画像表示システムにおいて、回転ホイールを用いずに波長分離を実現できる。また、本発明の波長分離装置２０は、画像表示システム１０を構成するプロジェクターＰＪ（画像表示装置）から出射される光であって、右眼用画像の出射光Ｌ１Ｒ（右眼用画像の画像光）、及び左眼用画像の出射光Ｌ１Ｌ（左眼用画像の画像光）を狭帯域波長板２２（波長板）により出射光Ｌ３１（第１出射光）、及び出射光Ｌ３２（第２出射光）に偏光方向により分離可能な光にする。第１出射光、及び第２出射光が入射される偏光用液晶パネル２３（偏光制御素子）は、第１出射光、及び第２出射光を、プロジェクターＰＪから出射されて光が右眼用画像の出射光Ｌ１Ｒと左眼用画像の出射光Ｌ１Ｌとで切り替わるタイミングに同期して、偏光方向を変換させて出射させたり、偏光方向を変換させずに出射させたりする。偏光板２４（偏光板）は、水平偏光と同一の偏光方向に吸収軸を有するので、透過しない水平偏光を、プロジェクターＰＪ側へ反射することなく吸収する。これにより、画像表示システム１０を構成するプロジェクターＰＪに対して光を反射しない波長分離装置２０を提供することができ、画像表示システム１０における表示画面の品質を向上することができる。
【００５２】
以上、この発明の実施形態を、図面を参照して詳述してきたが、具体的な構成はこの実施形態に限られるものではなく、この発明の要旨を逸脱しない範囲の設計等も含まれる。
また、プロジェクターＰＪの出射光Ｌ１において、赤色光ＬＲ、緑色光ＬＧ、及び青色光ＬＢ（ＲＧＢ）は、全て垂直偏光、または水平偏光の一方に揃っていてもよい。
また、波長分離方式において、光の波長を２以上に分割してもよいが、これに応じて鑑賞用メガネ３０の透過特性と狭帯域波長板２２の位相差特性（位相差の有無）とを対応するスペクトル特性にする必要がある。また、鑑賞用メガネ３０の透過特性において、透過する画像を波長λに対して右眼用画像と左眼用画像を交互に並べる必要はなく、１つの色光の波長が分離されていればよい。例えば、鑑賞用メガネ３０の透過特性において、波長λの小さい方から、右眼用画像、左眼画像用、左眼用画像、右眼用画像、左眼用画像、右眼用画像と並んでもよい。
また、波長分離装置２０の偏光板２４は、第１偏光と同一の偏光方向に吸収軸を有する偏光板としてもよいが、これに応じて、左眼用画像の出射光Ｌ１Ｌから右眼用画像の出射光Ｌ１Ｒに切り替わるタイミングに同期して偏光用液晶パネル２３は自身の厚さ方向に１／２波長の位相差を発生させ、右眼用画像の出射光Ｌ１Ｒから左眼用画像の出射光Ｌ１Ｌに切り替わるタイミングに同期して偏光用液晶パネル２３は自身の厚さ方向において位相差０の状態にさせる必要がある。
【符号の説明】
【００５３】
１０，９０…画像表示システム、２０…波長分離装置、２１…制御部、２２…狭帯域波長板、２３…偏光用液晶パネル、２４…偏光板、ＰＪ…プロジェクター、ＳＲ…スクリーン、９１…制御部、９２…回転ホイール、９２ａ，９２ｂ…円板部、３０…メガネ、３０Ｒ…右側用ガラス、３０Ｌ…左側用ガラス、ＬＲ，ＬＲＤ，ＬＲＵ…赤色光、ＬＧ，ＬＧＤ，ＬＧＵ…緑色光、ＬＢ，ＬＢＤ，ＬＢＵ…青色光、Ａ１，Ａ２…領域、α，β…角度、Ｌ１，Ｌ１Ｒ，Ｌ１Ｌ，Ｌ２，Ｌ２Ｒ，Ｌ２Ｌ，Ｌ３，Ｌ３１，Ｌ３２…出射光、１１００…光源、１１０１…リフレクター、１１０２…ランプ、１１０３…偏光変換素子、１１０６…反射ミラー、１１０８…ダイクロイックミラー、１１２２，１１２３，１１２４…リレーレンズ、１００Ｒ，１００Ｇ，１００Ｂ…液晶ライトバルブ、１１１２…クロスダイクロイックプリズム、１１１４…投射レンズ系、１１３０…液晶駆動部、Ｄ，Ｄ１，Ｄ２，Ｄ３，Ｄ４…駆動線
【図１】
0005982899.tif 000002
【図２】
0005982899.tif 000003
【図３】
0005982899.tif 000004
【図４】
0005982899.tif 000005
【図５】
0005982899.tif 000006
【図６】
0005982899.tif 000007
【図７】
0005982899.tif 000008
【図８】
0005982899.tif 000009